(57)【要約】【課題】本来の信号フォーマットに基づく処理がなされた適切な画像信号を即座に出力することが可能な画像処理装置、プロジェクター、及び画像処理方法を提供する。【解決手段】画像処理装置２４は、画像信号が入力される画像信号入力部３３と、画像信号入力部３３に入力される画像信号の信号フォーマットを判定するフォーマット判定部３２と、フォーマット判定部３２で判定された信号フォーマットに基づいて、画像信号に画像処理を施す画像信号処理部３４と、画像信号処理部３４で画像処理が施された画像信号を外部に出力する画像信号出力部３５と、を備えており、フォーマット判定部３２は、画像信号の入力が開始された後に、第１の判定及び第２の判定を順次実施し、画像信号出力部３５は、フォーマット判定部３２が第２の判定を行った後で、画像信号の出力を開始することを特徴とする。【選択図】図１
2011061578.tif 000002
【特許請求の範囲】
【請求項１】
外部から画像信号が入力される画像信号入力部と、
前記画像信号の信号フォーマットを判定する判定部と、
前記判定部で判定された信号フォーマットに基づいて、前記画像信号に画像処理を施す画像信号処理部と、
前記画像信号処理部で前記画像処理が施された画像信号を外部に出力する画像信号出力部と、
を備え、
前記判定部は、前記画像信号の入力が開始された後に、第１の判定及び第２の判定を順次実施し、
前記画像信号出力部は、前記判定部が前記第２の判定を行った後で、前記画像信号の出力を開始することを特徴とする画像処理装置。
【請求項２】
請求項１に記載の画像処理装置であって、
前記判定部は、前記第１の判定の後、所定の待ち時間を経て前記第２の判定を行うことを特徴とする画像処理装置。
【請求項３】
請求項１又は２に記載の画像処理装置であって、
前記判定部は、前記画像信号の入力が開始された際に前記第１の判定を実施して、前記第１の判定で判定された信号フォーマットが、所定の信号フォーマットである場合にのみ、前記第２の判定を実施し、
前記画像信号出力部は、前記第１の判定で判定された信号フォーマットが、前記所定の信号フォーマット以外の信号フォーマットである場合には、前記判定部が前記第１の判定を行った後で、前記画像信号の出力を開始することを特徴とする画像処理装置。
【請求項４】
請求項３に記載の画像処理装置であって、
前記所定の信号フォーマットが登録されるフォーマット登録部をさらに備え、
前記判定部は、前記第１の判定で判定された信号フォーマットが、前記フォーマット登録部に登録されている場合に、前記第２の判定を実施することを特徴とする画像処理装置。
【請求項５】
請求項４に記載の画像処理装置であって、
前記フォーマット登録部に対する前記信号フォーマットの登録を制御する制御部をさらに備え、
前記制御部は、前記第２の判定で判定された信号フォーマットが、前記第１の判定で判定された信号フォーマットと同一である場合には、当該信号フォーマットの登録を解除することを特徴とする画像処理装置。
【請求項６】
請求項４に記載の画像処理装置であって、
前記フォーマット登録部に対する前記信号フォーマットの登録を制御する制御部と、
前記画像信号の信号フォーマットの変化を検出する画像信号検出部と、
をさらに備え、
前記制御部は、前記画像信号の入力が開始されてから所定時間内に、前記画像信号検出部が前記信号フォーマットの変化を検出した場合に、変化前の信号フォーマットを前記フォーマット登録部に登録することを特徴とする画像処理装置。
【請求項７】
外部から画像信号が入力される画像信号入力部と、
前記画像信号の信号フォーマットを判定する判定部と、
前記判定部で判定された信号フォーマットに基づいて、前記画像信号に画像処理を施す画像信号処理部と、
前記画像信号処理部で前記画像処理が施された画像信号に基づいて画像を投写する画像投写部と、
を備え、
前記判定部は、前記画像信号の入力が開始された後に、第１の判定及び第２の判定を順次実施し、
前記画像投写部は、前記判定部が前記第２の判定を行った後で、前記画像の投写を開始することを特徴とするプロジェクター。
【請求項８】
入力される画像信号の信号フォーマットを判定する第１の判定ステップと、
前記第１の判定ステップの後で、前記画像信号の信号フォーマットを再度判定する第２の判定ステップと、
前記第２の判定ステップで判定された信号フォーマットに基づいて、前記画像信号に画像処理を施す画像処理ステップと、
前記画像処理ステップで前記画像処理が施された画像信号の外部への出力を開始する画像出力ステップと、
を備えたことを特徴とする画像処理方法。
【発明の詳細な説明】
【技術分野】
【０００１】
本発明は、外部から画像信号が入力される画像処理装置、プロジェクター、及び画像処理方法に関する。
【背景技術】
【０００２】
入力される画像信号に応じた画像を表示する画像表示装置（例えば、プロジェクター）は、解像度や走査方式等が異なる様々な信号フォーマット（表示モード）の画像信号を入力可能になっている。このため、画像信号の入力が開始されたり、入力中の画像信号の信号フォーマットが途中で変化したりした際には、画像表示装置は、信号フォーマットの判定を行って、この判定結果に応じて画像信号のサンプリングや画像処理を行うことにより、適切な画像表示を行うことができる（例えば、特許文献１参照）。
【先行技術文献】
【特許文献】
【０００３】
【特許文献１】国際公開第９８／２０４７６号パンフレット
【発明の概要】
【発明が解決しようとする課題】
【０００４】
しかしながら、画像表示装置等に画像信号を供給する画像供給装置の中には、画像信号の供給を開始した直後に、本来の信号フォーマットとは異なる信号フォーマットの画像信号を一時的（瞬間的）に出力し、その後で本来の信号フォーマットの画像信号を出力する装置が存在する。このような画像供給装置を利用する場合には、画像表示装置は、最初の信号フォーマットを判定して、この信号フォーマットに応じた画像表示、或いはそのための処理を開始してしまうため、その後で本来の信号フォーマットが判定されて適切な画像表示がなされるまでに、無駄な時間が費やされてしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像処理装置は、外部から画像信号が入力される画像信号入力部と、前記画像信号の信号フォーマットを判定する判定部と、前記判定部で判定された信号フォーマットに基づいて、前記画像信号に画像処理を施す画像信号処理部と、前記画像信号処理部で前記画像処理が施された画像信号を外部に出力する画像信号出力部と、を備え、前記判定部は、前記画像信号の入力が開始された後に、第１の判定及び第２の判定を順次実施し、前記画像信号出力部は、前記判定部が前記第２の判定を行った後で、前記画像信号の出力を開始することを特徴とする。
【０００７】
この画像処理装置によれば、判定部が第１の判定及び第２の判定を順次実施した後で、画像信号出力部からの画像信号の出力を開始する。このため、画像信号の供給開始時に本来とは異なる信号フォーマットの画像信号を一時的に出力する画像供給装置が接続されて、第１の判定で本来とは異なる信号フォーマットの判定がなされた場合であっても、第２の判定で本来の信号フォーマットを判定することが可能となる。この結果、本来の信号フォーマットに基づく処理がなされた適切な画像信号を即座に出力することが可能となる。
【０００８】
［適用例２］上記適用例に係る画像処理装置において、前記判定部は、前記第１の判定の後、所定の待ち時間を経て前記第２の判定を行うことが望ましい。
【０００９】
この画像処理装置によれば、第１の判定の後、所定の待ち時間を経て第２の判定を行うため、画像信号の供給開始時に本来とは異なる信号フォーマットの画像信号を一時的に出力する画像供給装置が接続された場合に、第１の判定及び第２の判定の双方で、本来とは異なる信号フォーマットを判定してしまう事態を防ぐことが可能となる。
【００１０】
［適用例３］上記適用例に係る画像処理装置において、前記判定部は、前記画像信号の入力が開始された際に前記第１の判定を実施して、前記第１の判定で判定された信号フォーマットが、所定の信号フォーマットである場合にのみ、前記第２の判定を実施し、前記画像信号出力部は、前記第１の判定で判定された信号フォーマットが、前記所定の信号フォーマット以外の信号フォーマットである場合には、前記判定部が前記第１の判定を行った後で、前記画像信号の出力を開始することが望ましい。
【００１１】
この画像処理装置によれば、第１の判定で判定された信号フォーマットが、所定の信号フォーマットである場合にのみ第２の判定が実施され、所定の信号フォーマットでない場合には、第２の判定は実施されない。このため、他の信号フォーマットに変化する可能性が低い信号フォーマットの画像信号が入力された場合等において、無駄に判定回数が増えてしまうことが抑制され、適切な画像信号を即座に出力することが可能となる。
【００１２】
［適用例４］上記適用例に係る画像処理装置において、前記所定の信号フォーマットが登録されるフォーマット登録部をさらに備え、前記判定部は、前記第１の判定で判定された信号フォーマットが、前記フォーマット登録部に登録されている場合に、前記第２の判定を実施することが望ましい。
【００１３】
この画像処理装置によれば、画像信号の供給開始後すぐに他の信号フォーマットに変化する可能性が高い信号フォーマットのみをフォーマット登録部に登録しておくことにより、無駄に判定回数が増えてしまうことが抑制され、適切な画像信号を即座に出力することが可能となる。
【００１４】
［適用例５］上記適用例に係る画像処理装置において、前記フォーマット登録部に対する前記信号フォーマットの登録を制御する制御部をさらに備え、前記制御部は、前記第２の判定で判定された信号フォーマットが、前記第１の判定で判定された信号フォーマットと同一である場合には、当該信号フォーマットの登録を解除することが望ましい。
【００１５】
この画像処理装置によれば、第２の判定で判定された信号フォーマットが、第１の判定で判定された信号フォーマットと同一である場合、即ち信号フォーマットが変化しなかった場合には、この信号フォーマットの登録を解除している。このため、次回以降、第１の判定でこの信号フォーマットが判定された場合でも、第２の判定が実施されなくなり、無駄に判定回数が増えてしまうことがさらに抑制される。
【００１６】
［適用例６］上記適用例に係る画像処理装置において、前記フォーマット登録部に対する前記信号フォーマットの登録を制御する制御部と、前記画像信号の信号フォーマットの変化を検出する画像信号検出部と、をさらに備え、前記制御部は、前記画像信号の入力が開始されてから所定時間内に、前記画像信号検出部が前記信号フォーマットの変化を検出した場合に、変化前の信号フォーマットを前記フォーマット登録部に登録することが望ましい。
【００１７】
この画像処理装置によれば、画像信号の入力が開始されてから所定時間内に信号フォーマットが変化した場合に、変化前の信号フォーマットをフォーマット登録部に登録している。このため、次回以降、第１の判定でこの信号フォーマットが判定された場合に、第２の判定が実施されるようになる。つまり、次回以降も信号フォーマットが変化したとしても、第２の判定により本来の信号フォーマットの判定を行うことが可能になるため、本来の信号フォーマットに基づく処理がなされた画像信号を即座に出力することが可能となる。
【００１８】
［適用例７］本適用例に係るプロジェクターは、外部から画像信号が入力される画像信号入力部と、前記画像信号の信号フォーマットを判定する判定部と、前記判定部で判定された信号フォーマットに基づいて、前記画像信号に画像処理を施す画像信号処理部と、前記画像信号処理部で前記画像処理が施された画像信号に基づいて画像を投写する画像投写部と、を備え、前記判定部は、前記画像信号の入力が開始された後に、第１の判定及び第２の判定を順次実施し、前記画像投写部は、前記判定部が前記第２の判定を行った後で、前記画像の投写を開始することを特徴とする。
【００１９】
このプロジェクターによれば、判定部が第１の判定及び第２の判定を順次実施した後で、画像投写部による画像の投写を開始する。このため、画像信号の供給開始時に本来とは異なる信号フォーマットの画像信号を一時的に出力する画像供給装置が接続されて、第１の判定で本来とは異なる信号フォーマットの判定がなされた場合であっても、第２の判定で本来の信号フォーマットの判定を行うことが可能となる。この結果、本来の信号フォーマットに基づく処理がなされた適切な画像を即座に投写することが可能となる。
【００２０】
［適用例８］本適用例に係る画像処理方法は、入力される画像信号の信号フォーマットを判定する第１の判定ステップと、前記第１の判定ステップの後で、前記画像信号の信号フォーマットを再度判定する第２の判定ステップと、前記第２の判定ステップで判定された信号フォーマットに基づいて、前記画像信号に画像処理を施す画像処理ステップと、前記画像処理ステップで前記画像処理が施された画像信号の外部への出力を開始する画像出力ステップと、を備えたことを特徴とする。
【００２１】
この画像処理方法によれば、第１の判定ステップ及び第２の判定ステップで画像信号の信号フォーマットが順次判定された後で、画像処理後の画像信号の出力が開始される。このため、画像信号の供給開始時に本来とは異なる信号フォーマットの画像信号を一時的に出力する画像供給装置が接続されて、第１の判定ステップで本来とは異なる信号フォーマットの判定がなされた場合であっても、第２の判定ステップで本来の信号フォーマットの判定を行うことが可能となる。この結果、本来の信号フォーマットに基づく処理がなされた適切な画像信号を即座に出力することが可能となる。
【００２２】
また、上述したプロジェクター及びその制御方法がプロジェクターに備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、プロジェクターの内部記憶装置（ＲＡＭやＲＯＭ等の半導体メモリー）等、前記コンピューターが読み取り可能な種々の媒体を利用することができる。
【図面の簡単な説明】
【００２３】
【図１】プロジェクターの概略構成を示すブロック図。
【図２】第１実施形態において入力端子に画像信号が入力された際の画像処理装置の動作を説明するためのフローチャート。
【図３】第２実施形態において入力端子に画像信号が入力された際の画像処理装置の動作を説明するためのフローチャート。
【発明を実施するための形態】
【００２４】
（第１実施形態）
以下、第１実施形態に係るプロジェクターについて、図面を参照して説明する。
プロジェクターは、光源装置から射出された光を、外部から入力される画像信号に基づいて変調して画像を形成し、この画像を外部の投写面（例えば、スクリーン）に投写する光学機器である。
【００２５】
図１は、プロジェクターの概略構成を示すブロック図である。
図１に示すように、プロジェクター１は、画像投写部１０、制御装置２０、記憶部２１、操作部２２、入力端子２３、画像処理装置２４等を備えている。
【００２６】
画像投写部１０は、光源装置１１、光変調装置としての３つの液晶ライトバルブ１２Ｒ，１２Ｇ，１２Ｂ、投写光学系としての投写レンズ１３等で構成されている。画像投写部１０は、表示部に相当するものであり、光源装置１１から射出された光を液晶ライトバルブ１２Ｒ，１２Ｇ，１２Ｂで変調して画像（画像光）を形成し、この画像を投写レンズ１３から拡大投写して、外部のスクリーンＳＣ等に表示する。
【００２７】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素からなる矩形の画素領域が形成されており、液晶に対して画素毎に駆動電圧を印加可能になっている。そして、液晶駆動部１４の駆動により、外部から入力される画像信号に応じた駆動電圧が各画素に印加されると、各画素は、画像信号に応じた光透過率に設定される。このため、光源装置１１から射出された光は、この液晶ライトバルブ１２Ｒ，１２Ｇ，１２Ｂを透過することによって変調され、画像信号に応じた画像光が色光毎に形成される。形成された各色の画像光は、図示しない色合成光学系によって画素毎に合成されてカラーの画像光となった後、投写レンズ１３から拡大投写される。
【００２９】
制御装置２０は、ＣＰＵ（Central Processing Unit）や、各種データ等の一時記憶に用いられるＲＡＭ（Random Access Memory）等（いずれも図示せず）を備え、記憶部２１に記憶されている制御プログラムに従って動作することによりプロジェクター１の動作を統括制御する。
【００３０】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３１】
操作部２２は、ユーザーの入力操作を受け付けるものであり、ユーザーがプロジェクター１に対して各種指示を行うための複数の操作キーを備えている。操作部２２が備える操作キーとしては、電源のオン・オフを切り替えるための電源キー、各種設定用のメニュー画像を表示させるメニューキー等がある。ユーザーが操作部２２の各種操作キーを操作すると、操作部２２は、この入力操作を受け付けて、ユーザーの操作内容に応じた操作信号を制御装置２０に出力する。なお、操作部２２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御装置２０に伝達する。
【００３２】
入力端子２３には、パーソナルコンピューターや各種映像再生装置等、図示しない外部の画像供給装置がケーブルを介して接続され、画像供給装置から画像信号が入力される。入力端子２３に入力された画像信号は、画像処理装置２４に出力される。
【００３３】
画像処理装置２４は、画像制御部３０、画像信号検出部３１、フォーマット判定部３２、画像信号入力部３３、画像信号処理部３４、画像信号出力部３５、フォーマット登録部３６等を備えている。なお、画像処理装置２４は、複数の半導体装置で構成されてもよいし、１つの半導体装置で構成することも可能である。
【００３４】
画像制御部３０は、ＣＰＵ等で構成されたコンピューターであり、画像処理装置２４の動作を統括制御する。
【００３５】
画像信号検出部３１は、入力端子２３に対する画像信号の入力の有無（入力の開始及び停止）を検出するとともに、入力端子２３に入力されている画像信号の信号フォーマット（「表示モード」等とも呼ばれる。）の変化を検出し、検出結果を画像制御部３０に出力する。
【００３６】
フォーマット判定部３２は、画像制御部３０の指示に基づいて、画像信号の信号フォーマットを判定する。信号フォーマットとは、画像信号が表す画像の解像度（縦横の画素数）や、走査方式（インターレース又はプログレッシブ）等を規定するものであり、画像信号を走査するための周波数等もこの信号フォーマットによって定まる。フォーマット判定部３２は、画像信号に含まれる同期信号等に基づいて信号フォーマットを特定する処理を複数回繰り返し、同一の特定結果が所定の回数だけ連続した場合に、これを最終的な判定結果とする。そして、フォーマット判定部３２は、導いた判定結果を画像制御部３０に出力し、画像制御部３０は、この判定結果に基づいて、画像信号入力部３３及び画像信号処理部３４の動作を制御する。ここで、入力端子２３に入力されている画像信号の信号フォーマットが途中で変化した場合にも、画像信号検出部３１がこの変化を検出し、画像制御部３０が新たな信号フォーマットをフォーマット判定部３２に判定させる。
【００３７】
画像信号入力部３３は、フォーマット判定部３２の判定結果に応じた画像制御部３０の指示に基づいて、画像信号の取り込みを行う。具体的には、画像信号入力部３３は、入力端子２３に入力されている画像信号を、フォーマット判定部３２で判定された信号フォーマットに応じたタイミングで走査し、図示しない画像メモリーに記憶する。
【００３８】
画像信号処理部３４は、画像制御部３０の指示に基づいて、画像信号入力部３３で取り込まれた画像信号に対して各種画像処理を施す。例えば、画像信号処理部３４は、フォーマット判定部３２の判定結果に応じた画像制御部３０の指示に基づいて、画像信号入力部３３で走査された画像信号の解像度を、液晶ライトバルブ１２Ｒ，１２Ｇ，１２Ｂの解像度（画素数）に合わせるための解像度変換処理等を行う。この解像度変換処理により、各液晶ライトバルブ１２Ｒ，１２Ｇ，１２Ｂのすべての画素に対応する複数の画素値を含む画像信号が、Ｒ，Ｇ，Ｂの色光別に生成される。画素値とは、対応する画素の光透過率を定めるものであり、この画素値によって、各画素から射出する光の強弱（階調）が規定される。
【００３９】
また、画像信号処理部３４は、画像制御部３０の指示に基づき、生成した画像信号に対して、明るさ、コントラスト、シャープネス、色合い等を調整するための画質調整処理や、メニュー画像やメッセージ画像等のＯＳＤ（オンスクリーンディスプレー）画像を重畳表示するためのＯＳＤ処理等を行い、処理後の画像信号を画像信号出力部３５に出力する。
【００４０】
画像信号出力部３５は、画像制御部３０の指示に基づいて、画像信号処理部３４から入力される画像信号を液晶駆動部１４に出力する。そして、液晶駆動部１４が、画像信号出力部３５から入力される画像信号に従って液晶ライトバルブ１２Ｒ，１２Ｇ，１２Ｂを駆動すると、液晶ライトバルブ１２Ｒ，１２Ｇ，１２Ｂは、画像信号に応じた画像を形成し、この画像が投写レンズ１３から投写される。
【００４１】
フォーマット登録部３６は、不揮発性のメモリーで構成されており、プロジェクター１が対応する複数の信号フォーマットのうち、入力開始後すぐに他の信号フォーマットに変化してしまう可能性があるもの、即ち再判定を行うことが望ましい信号フォーマットが登録（記憶）されている。例えば、画像供給装置の中には、画像信号の出力（供給）開始時に、設定されている信号フォーマットに拘らず、４８０ｐ（７２０×４８０画素、プログレッシブ方式）の信号フォーマットで画像信号を瞬間的に（例えば、１秒未満）出力し、その後で本来の信号フォーマットで画像信号の出力を開始するものが存在する。このため、本実施形態のフォーマット登録部３６には、再判定が必要な信号フォーマットとして、４８０ｐが登録されている。
【００４２】
次に、プロジェクター１の動作について説明する。
プロジェクター１に商用電源が供給された後、ユーザーにより電源キーが操作されると、光源装置１１の点灯が開始し、プロジェクター１は、画像の投写が可能な状態（オン状態）となる。そして、プロジェクター１がオン状態となると、画像処理装置２４は、入力端子２３に対する画像信号の入力を待機する。
【００４３】
図２は、入力端子２３に画像信号が入力された際の画像処理装置２４の動作を説明するためのフローチャートである。入力端子２３に接続された画像供給装置から画像信号の出力（供給）が開始され、画像信号検出部３１がこの画像信号の入力を検出すると、画像処理装置２４は、図２に示すフローに従って動作する。
【００４４】
図２に示すように、ステップＳ１０１では、画像制御部３０は、フォーマット判定部３２に指示をして、入力が開始された画像信号の信号フォーマットを判定させる。フォーマット判定部３２は、この指示に応じて信号フォーマットの判定を実施し、判定結果を画像制御部３０に出力する。
【００４５】
ステップＳ１０２では、画像制御部３０は、フォーマット判定部３２によって判定された信号フォーマットが、フォーマット登録部３６に登録されているか否か、即ち再判定の対象であるか否かを判断する。そして、判定された信号フォーマットがフォーマット登録部３６に登録されている場合、即ち再判定の対象である場合には、ステップＳ１０３に移行する。一方、判定された信号フォーマットがフォーマット登録部３６に登録されていない場合、即ち再判定の対象ではない場合には、信号フォーマットは確定し、ステップＳ１０５に移行する。
【００４６】
判定された信号フォーマットがフォーマット登録部３６に登録されていてステップＳ１０３に移行した場合には、画像制御部３０は、所定の待ち時間（例えば、１秒）だけ待機する。そして、待ち時間を経た後、ステップＳ１０４では、画像制御部３０は、フォーマット判定部３２に指示をして、画像信号の信号フォーマットを再び判定させ、ステップＳ１０５に移行する。これにより、画像信号の信号フォーマットは、ステップＳ１０４における判定、即ち２回目の判定で判定された信号フォーマットに確定される。なお、ステップＳ１０３における待ち時間は、画像信号の供給開始時に本来とは異なる信号フォーマットの画像信号が出力される場合において、本来の信号フォーマットに変化してから信号フォーマットの判定（ステップＳ１０４）がなされるように設定されている。
【００４７】
ステップＳ１０５では、画像制御部３０は、画像信号入力部３３及び画像信号処理部３４に指示をして、確定した信号フォーマットに応じた処理、具体的には、画像信号入力部３３における画像信号の走査や、画像信号処理部３４における解像度変換処理等を開始するための設定処理を行う。そして、ステップＳ１０６では、画像制御部３０は、画像信号入力部３３における画像信号の走査、及び画像信号処理部３４における各種処理を開始させるとともに、画像信号出力部３５に画像信号の出力を開始させる。この結果、走査された画像信号に応じた画像が画像投写部１０から投写される。
【００４８】
その後、ステップＳ１０７では、画像制御部３０は、画像信号検出部３１の検出結果に基づいて、信号フォーマットが変化したか否かを判断する。そして、信号フォーマットが変化した場合にはステップＳ１０８に移行し、信号フォーマットが変化していない場合にはステップＳ１０９に移行する。
【００４９】
信号フォーマットの変化が検出されてステップＳ１０８に移行した場合には、画像制御部３０は、フォーマット判定部３２に指示をして、変化後の信号フォーマットを判定させた後、ステップＳ１０５に戻り、新たな信号フォーマットに応じた設定処理を行わせて、画像信号の出力を開始させる。
【００５０】
一方、信号フォーマットの変化が検出されずにステップＳ１０９に移行した場合には、画像制御部３０は、画像信号検出部３１の検出結果に基づいて、画像信号の入力が停止したか否かを判断する。そして、画像信号の入力が継続している場合にはステップＳ１０７に戻り、画像信号の入力が停止した場合には、フローを終了する。
【００５１】
以上説明したように、本実施形態の画像処理装置２４及びプロジェクター１によれば、以下の効果を得ることができる。
【００５２】
（１）本実施形態の画像処理装置２４及びプロジェクター１によれば、フォーマット登録部３６に登録されている信号フォーマットの画像信号が入力端子２３に入力されると、画像制御部３０は、フォーマット判定部３２に２回の判定を順次実施させる。そして、その後で、設定処理、及び画像信号出力部３５からの画像信号の出力を開始させている。このため、画像信号の供給開始時に本来とは異なる信号フォーマットの画像信号を一時的に出力する画像供給装置が接続されて、１回目の判定で本来とは異なる信号フォーマットの判定がなされた場合であっても、２回目の判定で本来の信号フォーマットの判定を行うことが可能となる。この結果、画像処理装置２４は、本来の信号フォーマットに基づく処理がなされた適切な画像信号を即座に出力することが可能であり、プロジェクター１は、この画像信号に基づく画像を即座に投写することが可能となる。
【００５３】
（２）本実施形態の画像処理装置２４及びプロジェクター１によれば、１回目の判定（ステップＳ１０１）で判定された信号フォーマットがフォーマット登録部３６に登録されている場合に２回目の判定（ステップＳ１０４）を実施するため、フォーマット登録部３６に登録されていない信号フォーマットに関しては、２回目の判定は行われない。このため、画像信号の供給開始後すぐに他の信号フォーマットに変化する可能性の高い信号フォーマットのみをフォーマット登録部３６に登録しておくことにより、無駄に判定回数が増えてしまうことが抑制される。
【００５４】
なお、本実施形態では、ステップＳ１０１における信号フォーマットの判定が第１の判定に相当し、ステップＳ１０４における信号フォーマットの判定が第２の判定に相当する。また、フォーマット判定部３２が判定部に相当し、画像制御部３０が制御部に相当する。
【００５５】
（第２実施形態）
以下、第２実施形態に係るプロジェクターについて、図面を参照して説明する。
本実施形態のフォーマット登録部３６は、フラッシュメモリー等、書き替えが可能な不揮発性のメモリーで構成されており、画像制御部３０は、フォーマット登録部３６に対する信号フォーマットの登録（追加登録や登録解除等）を制御可能になっている。上記以外の構成は、第１実施形態と同一である。
【００５６】
図３は、本実施形態において、入力端子２３に画像信号が入力された際の画像処理装置２４の動作を説明するためのフローチャートである。入力端子２３に接続された画像供給装置から画像信号の出力（供給）が開始され、画像信号検出部３１がこの画像信号の入力開始を検出すると、画像処理装置２４は、図３に示すフローに従って動作する。
【００５７】
図３に示すように、ステップＳ２０１では、画像制御部３０は、フォーマット判定部３２に指示をして、入力が開始された画像信号の信号フォーマットを判定させる。フォーマット判定部３２は、この指示に応じて信号フォーマットの判定を実施し、判定結果を画像制御部３０に出力する。
【００５８】
ステップＳ２０２では、画像制御部３０は、フォーマット判定部３２によって判定された信号フォーマットが、フォーマット登録部３６に登録されているか否か、即ち再判定の対象であるか否かを判断する。そして、判定された信号フォーマットがフォーマット登録部３６に登録されている場合、即ち再判定の対象である場合には、ステップＳ２１２に移行する。一方、判定された信号フォーマットがフォーマット登録部３６に登録されていない場合、即ち再判定の対象ではない場合には、信号フォーマットは確定し、ステップＳ２０３に移行する。
【００５９】
判定された信号フォーマットが再判定の対象ではなくステップＳ２０３に移行した場合には、画像制御部３０は、画像信号入力部３３及び画像信号処理部３４に指示をして、確定した信号フォーマットに応じた動作、即ち画像信号入力部３３における画像信号の走査や、画像信号処理部３４における解像度変換処理等を開始するための設定処理を行う。そして、ステップＳ２０４では、画像制御部３０は、画像信号入力部３３における画像信号の走査、及び画像信号処理部３４における各種処理を開始させるとともに、画像信号出力部３５に画像信号の出力を開始させる。この結果、走査された画像信号に応じた画像が画像投写部１０から投写される。
【００６０】
その後、ステップＳ２０５では、画像制御部３０は、画像信号検出部３１の検出結果に基づいて、信号フォーマットが変化したか否かを判断する。そして、この時点で既に信号フォーマットが変化している場合、即ち入力端子２３への画像信号の入力が開始してから間もないタイミングで（所定の時間内に）信号フォーマットが変化した場合にはステップＳ２０６に移行し、信号フォーマットが変化していない場合にはステップＳ２１１に移行する。
【００６１】
信号フォーマットの変化が検出されてステップＳ２０６に移行した場合には、画像制御部３０は、ステップＳ２０１で判定された信号フォーマットを、再判定の対象としてフォーマット登録部３６に追加して登録させる。これにより、今後この信号フォーマットの画像信号の入力が開始された場合には、信号フォーマットの再判定が行われるようになる。
【００６２】
その後、ステップＳ２０７では、画像制御部３０は、フォーマット判定部３２に指示をして、変化後の信号フォーマットを判定させる。そして、ステップＳ２０８では、ステップＳ２０３と同様、新たな信号フォーマットに応じた設定処理を行わせ、ステップＳ２０９では、ステップＳ２０４と同様、画像信号入力部３３における画像信号の走査、及び画像信号処理部３４における各種処理を開始させるとともに、画像信号出力部３５に画像信号の出力を開始させる。
【００６３】
ステップＳ２１０では、画像制御部３０は、画像信号検出部３１の検出結果に基づいて、信号フォーマットが変化したか否かを再び判断する。そして、信号フォーマットが変化した場合にはステップＳ２０７に戻り、信号フォーマットが変化していない場合にはステップＳ２１１に移行する。
【００６４】
信号フォーマットの変化が検出されずにステップＳ２１１に移行した場合には、画像制御部３０は、画像信号検出部３１の検出結果に基づいて、画像信号の入力が停止したか否かを判断する。そして、画像信号の入力が継続している場合にはステップＳ２１０に戻り、画像信号の入力が停止した場合には、フローを終了する。
【００６５】
また、ステップＳ２０２において、判定された信号フォーマットがフォーマット登録部３６に登録されていてステップＳ２１２に移行した場合には、画像制御部３０は、所定の待ち時間（例えば、１秒）だけ待機する。そして、待ち時間を経た後、ステップＳ２１３では、画像制御部３０は、フォーマット判定部３２に指示をして、画像信号の信号フォーマットを再び判定させ、画像信号の信号フォーマットを、本ステップで判定された信号フォーマットに確定させる。なお、ステップＳ２１２における待ち時間は、画像信号の供給開始時に本来とは異なる信号フォーマットの画像信号が出力される場合において、本来の信号フォーマットに変化してから信号フォーマットの判定（ステップＳ２１３）がなされるように設定されている。
【００６６】
ステップＳ２１４では、画像制御部３０は、画像信号の入力が開始されてから行った２回の判定の判定結果を比較して、１回目の判定（ステップＳ２０１）の判定結果と、２回目の判定（ステップＳ２１３）の判定結果が同一であるか否かを判断する。そして、１回目と２回目で判定結果が異なる場合にはステップＳ２０８に移行し、２回目の判定で判定された信号フォーマットに応じた設定処理を行わせ、ステップＳ２０９で画像信号の出力を開始させる。一方、１回目と２回目の判定結果が同一である場合にはステップＳ２１５に移行する。
【００６７】
１回目と２回目の判定結果が同一であってステップＳ２１５に移行した場合には、画像制御部３０は、フォーマット登録部３６に対してこの信号フォーマットの登録を解除する。即ちこの信号フォーマットを再判定の対象から削除して、ステップＳ２０８に移行する。これにより、今後この信号フォーマットの画像信号が入力された場合でも、信号フォーマットの再判定は行われなくなる。
【００６８】
以上説明したように、本実施形態の画像処理装置２４及びプロジェクター１によれば、第１実施形態の効果に加えて以下の効果を得ることができる。
【００６９】
（１）本実施形態の画像処理装置２４及びプロジェクター１によれば、２回目の判定（ステップＳ２１３）で判定された信号フォーマットが、１回目の判定（ステップＳ２０１）で判定された信号フォーマットと同一である場合、即ち信号フォーマットが変化しなかった場合には、この信号フォーマットを再判定の対象から削除している。このため、次回以降、１回目の判定でこの信号フォーマットが判定された場合でも、２回目の判定が実施されなくなり、無駄に判定回数が増えてしまうことがさらに抑制される。
【００７０】
（２）本実施形態の画像処理装置２４及びプロジェクター１によれば、画像信号の入力が開始されてから所定の時間内に信号フォーマットが変化した場合に、変化前の信号フォーマットを再判定の対象に追加している。このため、次回以降、１回目の判定でこの信号フォーマットが判定された場合に、２回目の判定が実施されるようになる。つまり、次回以降も信号フォーマットが変化したとしても、２回目の判定により本来の信号フォーマットの判定を行うことが可能になる。このため、画像処理装置２４は、本来の信号フォーマットに基づく処理がなされた適切な画像信号を即座に出力することが可能となり、プロジェクター１は、この画像信号に基づく画像を即座に投写することが可能となる。
【００７１】
なお、本実施形態では、ステップＳ２０５において信号フォーマットの変化が検出された場合に、ステップＳ２０６において再判定の対象に追加するようにしているが、ステップＳ２０５において信号フォーマットの変化が検出された回数をカウントするようにして、この回数が所定の回数に達した場合に再判定の対象に追加するようにしてもよい。同様に、本実施形態では、ステップＳ２１４において１回目と２回目の判定結果が同一である場合に、ステップＳ２１５において再判定の対象から削除するようにしているが、ステップＳ２１４において１回目と２回目の判定結果が同一であった回数をカウントするようにして、この回数が所定の回数に達した場合に再判定の対象から削除するようにしてもよい。
【００７２】
なお、本実施形態では、ステップＳ２０１における信号フォーマットの判定が第１の判定に相当し、ステップＳ２１３における信号フォーマットの判定が第２の判定に相当する。また、フォーマット判定部３２が判定部に相当し、画像制御部３０が制御部に相当する。
【００７３】
（変形例）
また、上記実施形態は、以下のように変更してもよい。
【００７４】
上記実施形態では、光変調装置として３つの液晶ライトバルブ１２Ｒ，１２Ｇ，１２Ｂを用いた３板式のプロジェクター１について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００７５】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７６】
上記実施形態では、光源装置１１は、放電型の光源ランプ１１ａを備えて構成されているが、ＬＥＤ（Light Emitting Diode：発光ダイオード）光源等の固体光源や、その他の光源を用いることもできる。
【００７７】
上記実施形態では、画像処理装置２４をプロジェクター１に適用した例を示したが、プロジェクター１以外の画像表示装置に適用してもよいし、画像表示装置以外の機器（例えば、録画装置等）に適用することも可能である。
【符号の説明】
【００７８】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御装置、２１…記憶部、２２…操作部、２３…入力端子、２４…画像処理装置、３０…画像制御部、３１…画像信号検出部、３２…フォーマット判定部、３３…画像信号入力部、３４…画像信号処理部、３５…画像信号出力部、３６…フォーマット登録部、ＳＣ…スクリーン。
【図１】
2011061578.tif 000003
【図２】
2011061578.tif 000004
【図３】
2011061578.tif 000005